(57)【要約】【課題】携帯電話機において、着信に応答する前に発信者を確認できるようにする。【解決手段】携帯電話機１にカメラ１５を設け、通話時に携帯電話機１のユーザを撮影する。撮影した画像データを基地局１００経由で受信側の携帯電話機１に送信する。受信側の携帯電話機１の液晶モニタ１１には画像データが表示される。これにより、受信側の携帯電話機１のユーザは着信に応答する前に発信者を確認することができる。【選択図】　　　　　図１
2004140591.tif 000002
【特許請求の範囲】
【請求項１】
撮影により画像データを取得する撮影手段と、種々の情報を表示する表示手段とを備えた携帯電話機において、
通話相手への発信時に前記撮影手段による撮影を行い、該撮影により取得された画像データを前記通話相手の携帯電話機に送信する送信手段と、
通話相手からの着信時に、該通話相手の携帯電話機から送信された画像データを前記表示手段に表示する表示制御手段とを備えたことを特徴とする携帯電話機。
【請求項２】
前記送信手段は、前記画像データとともに該画像データを取得した取得時間を表す時間情報を送信する手段であり、
前記表示制御手段は、前記通話相手の携帯電話機から送信された前記時間情報に基づいて前記画像データの取得時間を前記表示手段に表示する手段であることを特徴とする請求項１記載の携帯電話機。
【請求項３】
前記送信手段は、前記画像データとともに送信者を認証する認証情報を送信する手段であり、
前記表示制御手段は、前記通話相手の携帯電話機から送信された前記認証情報を前記表示手段に表示する手段であることを特徴とする請求項１または２記載の携帯電話機。
【発明の詳細な説明】
【０００１】
【発明の属する技術分野】
本発明は、携帯電話機に関するものである。
【０００２】
【従来の技術】
近年、携帯電話が急激に普及する一方で、いたずら電話、セールス電話、さらにはいわゆるワン切り等の迷惑電話が問題となっている。このような迷惑電話は、着信者の都合を考えずにかかってくるため、非常に迷惑である。その一方、発信者の電話番号が携帯電話の電話帳に登録されている場合には、その発信者からの着信時に発信者の電話番号や名前を携帯電話の液晶モニタに表示したり、着信音を他と異なるものとすることができる。また、電話番号とともに顔画像の画像データを電話帳に登録しておき、着信時に発信者の顔を表示できるようにした携帯電話も知られている。さらに、電話会社によっては、着信時に電話会社のシステムにより着信先の電話機に発信者の電話番号を表示するサービスも提供されている。
【０００３】
このため、着信時における電話番号や画像の表示の有無や着信音の相違に応じて、電話帳に登録されていない発信者や電話番号を非通知としている発信者からの電話には応答しないようにすれば、迷惑電話に煩わされることがなくなる。
【０００４】
また、通話機能を有するカメラ付きドアホンが提供されている（特許文献１参照）。このようなカメラ付きドアホンは、留守中に訪問者を撮影すると、通話機能により予め登録された電話番号に発信し、その電話番号の電話機において応答がなされると、撮影により取得した画像データをその電話機に送信して、訪問者の画像を電話機に表示することができる。さらには、ドアホンと電話機とで通話することもできるため、留守中であるにもかかわらず、あたかも自宅にいるかのように訪問者に対応することができる。
【０００５】
【特許文献１】
特開平９−１０７４０９号公報
【０００６】
【発明が解決しようとする課題】
しかしながら、携帯電話の電話帳に発信者名や発信者の画像が登録されていない場合には、携帯電話に発信者名や発信者の画像を表示することはできない。また、発信者が発信電話番号を非通知に設定している場合には、発信者の電話番号を表示することができない。
【０００７】
また、特許文献１に記載のシステムによれば、ドアホンからの発信先として携帯電話を設定していれば、訪問者すなわち発信者を携帯電話に表示することができる。しかしながら、特許文献１記載のシステムにおいては、携帯電話に応答しないと携帯電話に画像を表示することができないため、相手を確認してから着信に応答することができない。したがって、迷惑な訪問者であっても相手を確認したければ着信に応答せざるを得なかった。
【０００８】
本発明は上記事情に鑑みなされたものであり、着信時において応答する前に発信者を確認できるようにすることを目的とする。
【０００９】
【課題を解決するための手段】
本発明による携帯電話機は、撮影により画像データを取得する撮影手段と、種々の情報を表示する表示手段とを備えた携帯電話機において、
通話相手への発信時に前記撮影手段による撮影を行い、該撮影により取得された画像データを前記通話相手の携帯電話機に送信する送信手段と、
通話相手からの着信時に、該通話相手の携帯電話機から送信された画像データを前記表示手段に表示する表示制御手段とを備えたことを特徴とするものである。
【００１０】
「画像データ」とは、静止画像を表す静止画像データであってもよく、動画像を表す動画像データであってもよいものである。
【００１１】
「発信時」とは、電話をかけ始めたときを意味する。例えば、電話番号の入力を開始したとき、電話番号の入力後または電話帳から電話番号を読み出した後に発信ボタンを押下したときを「発信時」とすることができる。
【００１２】
「着信時」とは、電話がかかってきたときを意味する。例えば、着信音が鳴り始めたとき、バイブレーターが駆動し始めたときを「着信時」とすることができる。
【００１３】
なお、撮影手段は、発信時に携帯電話機のユーザの顔が撮影できる位置に設けられてなることが好ましい。
【００１４】
なお、本発明による携帯電話機においては、前記送信手段を、前記画像データとともに該画像データを取得した取得時間を表す時間情報を送信する手段とし、前記表示制御手段を、前記通話相手の携帯電話機から送信された前記時間情報に基づいて前記画像データの取得時間を前記表示手段に表示する手段としてもよい。
【００１５】
また、本発明による携帯電話機においては、前記送信手段を、前記画像データとともに該画像データを取得した取得時間を表す時間情報を送信する手段とし、前記表示制御手段を、前記通話相手の携帯電話機から送信された前記認証情報を前記表示手段に表示する手段としてもよい。
【００１６】
「認証情報」とは、画像データを送信した人物が本当にその人物であるかを確認可能な情報であり、例えばその人物のみが知りうるＩＤ、パスワード等を用いることができる。
【００１７】
【発明の効果】
本発明によれば、通話相手への発信時に撮影手段による撮影が行われ、これにより取得された画像データが通話相手の携帯電話機に送信される。一方、通話相手からの着信時には、通話相手の携帯電話機から送信された画像データが表示手段に表示される。このため、発信時に携帯電話のユーザの顔を撮影することにより、発信者の顔を通話相手の携帯電話機に表示させることができる。
【００１８】
これにより、着信に応答する前に発信者が誰であるかを容易に確認することができるため、見知らぬ人物から着信があった場合にはそれを迷惑電話とみなすことにより、着信に応答する必要がなくなる。
【００１９】
また、画像データとともに画像データの取得時間を表す時間情報を送信し、表示手段に画像データとともに時間情報に基づく画像データの取得時間を表示することにより、表示された画像データが現在撮影中のものであるかを容易に確認することができる。このため、着信時に画像データの取得時間が表示されない場合には、見知らぬ発信者が友人になりすまして予め用意した画像データを送信した可能性があるとみなすようにすれば、迷惑電話に応答する必要がなくなる。
【００２０】
また、画像データとともに送信者を認証する認証情報を送信し、表示手段に画像データとともに認証情報を表示することにより、表示された画像データが認証情報を有する人物から送信されたものであるかを容易に確認することができる。このため、着信時に認証情報が表示されない場合には、見知らぬ発信者が友人になりすまして予め用意した画像データを送信した可能性があるとみなすようにすれば、迷惑電話に応答する必要がなくなる。
【００２１】
【発明の実施の形態】
以下図面を参照して本発明の実施形態について説明する。図１は本発明の実施形態による携帯電話機を用いた携帯電話システムの構成を示す概略ブロック図である。図１に示すように、本発明の実施形態による携帯電話システムは、携帯電話機１と、携帯電話機１同士の通信（通話を含む）を中継する基地局１００とからなる。携帯電話機１と基地局１００とは携帯電話通信網１０１を介して接続されている。
【００２２】
図１に示すように、携帯電話機１は、液晶モニタ１１と、数字ボタン、発信ボタンおよび着信応答ボタン等からなる操作ボタン１２と、音声を発するスピーカ１３と、音声を集音するマイク１４と、撮影により画像データを取得するカメラ１５とを備える。ここで、カメラ１５により取得される画像データは静止画像を表すものであっても動画像を表すものであってもよいが、本実施形態においては動画像を表す動画像データを取得するものとして説明する。
【００２３】
図２は本実施形態による携帯電話機の内部構成を示す概略ブロック図である。図２に示すように、携帯電話機１は通信を行うための通信部１８と、液晶モニタ１１、操作ボタン１２、スピーカ１３、マイク１４およびカメラ１５の動作を制御する制御部２とを備える。なお、通信部１８も制御部２により制御される。
【００２４】
制御部２は、画像データの送信を制御する送信制御部２１と、画像データの受信を制御する受信制御部２２とを備える。
【００２５】
送信制御部２１は、電話をかけるために操作ボタン１２を用いて通話相手の電話番号の入力が開始されると、カメラ１５を駆動して携帯電話機１のユーザの撮影を行う。そして、取得された画像データを通信部１８を介して基地局１００に送信する。
【００２６】
なお、携帯電話機１のユーザは、発信時には自身の顔が撮影されるようにカメラ１５を自身の顔に向けて撮影を行う。
【００２７】
一方、電話番号の入力後、あるいは電話帳から電話番号を読み出して液晶モニタ１１に表示した後に発信するためには発信ボタンを押下する必要がある。このため、発信ボタンの押下によりカメラ１５を駆動して撮影を行うようにしてもよい。
【００２８】
受信制御部２２は、着信があると発信者が送信した画像データを通信部１８を介して受信し、受信した画像データを液晶モニタ１１に表示する。
【００２９】
基地局１００は、携帯電話機１同士の通信を中継するとともに、通話中のいずれかの携帯電話機１から画像データを受信したとき、その携帯電話機１の通話先の携帯電話機１に画像データを送信する画像データ送信手段を有するものである。
【００３０】
次いで、本実施形態の動作について説明する。図３は、本実施形態において携帯電話機１の発信時に行われる処理を示すフローチャートである。まず、通話先の電話番号の入力が開始されたか否かが監視されており（ステップＳ１）、ステップＳ１が肯定されると、送信制御部２１によりカメラ１５が駆動されて、発信者すなわち携帯電話機１のユーザの撮影が行われて画像データが取得される（ステップＳ２）。取得された画像データは基地局１００に送信される（ステップＳ３）。
【００３１】
基地局１００は画像データを受信すると、通話先の携帯電話機１に発信者を特定する発信者情報とともに画像データを送信する
続いて、着信側の携帯電話機１において、基地局１００から送信された画像データおよび発信者情報が受信される（ステップＳ４）。発信者情報には発信者の電話番号が含まれる。受信側の携帯電話機１の受信制御部２２により、受信側の携帯電話機１の電話帳に発信者の電話番号が登録されているか否かが判定され（ステップＳ５）、ステップＳ５が肯定されると電話帳から発信者の名前が読み出され、図４に示すように発信者の名前が受信した画像データとともに液晶モニタ１１に表示される（ステップＳ６）。一方、ステップＳ５が否定されると、図５に示すように受信した画像データのみが液晶モニタ１１に表示される（ステップＳ７）。なお、この状態においては着信音が鳴らされている。
【００３２】
受信側の携帯電話機１のユーザは、液晶モニタ１１に表示された画像を見て、通話したい相手であれば、通話を開始するために操作ボタン１２の着信応答ボタンを押下して通話を開始する。このため、着信応答ボタンが押下されたか否かの監視が開始され（ステップＳ８）、ステップＳ８が肯定されると通話を開始する（ステップＳ９）。一方、通話したくない相手であれば、そのまま着信を放置しておく。このため、ステップＳ８が否定され、処理を終了する。
【００３３】
このように、本実施形態においては、発信時にカメラ１５により携帯電話機１のユーザを撮影し、撮影により取得した画像データを発信先の携帯電話機１に表示するようにしたため、着信に応答する前に発信者が誰であるかを容易に確認することができ、これにより、迷惑電話のように応答したくない電話に応答する必要がなくなる。
【００３４】
なお、上記実施形態において、画像データを基地局１００に送信する際に、画像データＳ０を取得した時間を表す時間情報を画像データとともに送信してもよい。この場合、受信側の携帯電話機１の液晶モニタ１１には、図６に示すように、画像データとともに画像データを取得した時間が表示される。このため、着信があった携帯電話機１のユーザは、時間表示の有無に応じて、着信時に表示中された画像が現在撮影中のものであるか、過去に撮影されたものであるかを判断できる。
【００３５】
また、画像データを基地局１００に送信する際に、発信者を特定するＩＤを画像データとともに送信してもよい。この場合、受信側の携帯電話機１の液晶モニタ１１には、図７に示すように、画像データとともに発信者のＩＤが表示される。このため、着信があった携帯電話機１のユーザは、ＩＤ表示の有無に応じて、着信時に表示中された画像がＩＤが発行されているまっとうな発信者からのものであるか、ＩＤが発行されていない怪しげな発信者からのものであるかを判断できる。
【００３６】
ここで、悪意のある発信者が、何らかの方法によりユーザの友人の画像を手に入れる場合がある。このような場合、発信時にその友人の画像を通話先に発信すれば、着信側の携帯電話機１には友人の画像が表示されるため、着信側の携帯電話機１のユーザは、悪意のある発信者からの着信に応答してしまうおそれがある。
【００３７】
このため、着信時に画像データの撮影時間や発信者のＩＤを表示することにより、撮影時間や発信者のＩＤが表示されないような怪しげな着信には応答しないようにすることができる。
【図面の簡単な説明】
【図１】本発明の実施形態による携帯電話機を用いた携帯電話システムの構成を示す概略ブロック図
【図２】本実施形態による携帯電話機の内部構成を示す概略ブロック図
【図３】本実施形態において行われる処理を示すフローチャート
【図４】着信時に液晶モニタに表示される画像を示す図（その１）
【図５】着信時に液晶モニタに表示される画像を示す図（その２）
【図６】着信時に液晶モニタに表示される画像を示す図（その３）
【図７】着信時に液晶モニタに表示される画像を示す図（その４）
【符号の説明】
１　　携帯電話機
２　　制御部
１１　　液晶モニタ
１２　　操作ボタン
１３　　スピーカ
１４　　マイク
１５　　カメラ
１８　　通信部
２１　　送信制御部
２２　　受信制御部
【図１】
2004140591.tif 000003
【図２】
2004140591.tif 000004
【図３】
2004140591.tif 000005
【図４】
2004140591.tif 000006
【図５】
2004140591.tif 000007
【図６】
2004140591.tif 000008
【図７】
2004140591.tif 000009